(57)【特許請求の範囲】
【請求項１】
液透過性のトップシートと、液不透過性のバックシートと、これら両シートの間に配置された吸収体とを有する吸収性本体と、前記吸収性本体が少なくとも一部で固定され、且つ、吸収性本体を着用者に当てて保持する外装部材とからなり、前記外装部材の前身頃と後身頃の相対する長手方向両側縁部を接合してウエスト周り開口部と一対の脚周り開口部を形成し、各開口部に沿ってその少なくとも一部に伸縮弾性部材が配置され、さらに、前記ウエスト周り開口部と脚周り開口部の間の腰周り部にも伸縮弾性部材が配置されたパンツ型使い捨ておむつにおいて、
前記吸収性本体の長手方向両端部領域を覆って、前記腰周り部伸縮弾性部材の伸長応力よりも高い伸長応力を有する伸縮性弾性部材が伸長状態で配置されている伸縮性の帯状シートがおむつのウエスト周り方向全幅にわたって配置されていて前記吸収性本体の両側縁部の外側領域に位置する部分において前記外装部材に接着固定されており、前記帯状シートの吸収性本体と対向する面には、前記吸収性本体とは別体の吸収パッドを着脱可能に取付けるための機械的に係合可能なフック材が配置されていることを特徴とするパンツ型使い捨ておむつ。
【請求項２】
前記帯状シートは、その一部が、前記吸収性本体の長手方向端縁部に接着固定されていることを特徴とする請求項１記載のパンツ型使い捨ておむつ。
【請求項３】
前記帯状シートの幅が２０〜１５０ｍｍであることを特徴とする請求項１又は２に記載のパンツ型使い捨ておむつ。
【発明の詳細な説明】
【技術分野】
【０００１】
本発明は、パンツ型使い捨ておむつに関するものであり、特に、尿取りパッドの装着性が良好であり、腰周りのフィット性に優れ、ウエスト周りからの漏れを防止した成人失禁者用のパンツ型使い捨ておむつに関するものである。
【背景技術】
【０００２】
一般に、パンツ型使い捨ておむつは、液透過性のトップシートと、液不透過性のバックシートと、これら両シートの間に配置された吸収体とからなるおむつ本体の前身頃と後身頃の相対する両側縁部を接合してウエスト周り開口部と一対の脚周り開口部を形成し、各開口部に沿って伸縮弾性部材を配置して形成されており、その用途に応じて好適に使用できるように様々な形態のものが提案されており、乳幼児を始めとして成人失禁者まで広く使用されている。
【０００３】
このようなパンツ型使い捨ておむつは、着用時に排泄された尿等の排泄物を液透過性のトップシートを介して吸収体に保持し、液不透過性のバックシートにより排泄物がおむつの外に漏れ出すのを防ぐ構造になっており、乳幼児の場合には、排泄物はパンツ型使い捨ておむつにより直接処理される。
一方、成人失禁者の場合には、乳幼児と異なり、パンツ型使い捨ておむつをカバー材として利用し、おむつの内側に尿取りパッドを装着して、汚れた尿取りパッドのみを交換するという使用方法が一般的である。この場合、尿取りパッドをパンツ型のおむつに固定するために、尿取りパッドの裏面に粘着シート等からなるずれ止めテープが配置されているが、粘着剤を覆っている剥離紙を剥すのに時間がかかり、剥した剥離紙のごみが発生するなどの問題があった。また、ずれ止めテープは尿取りパッドの中央部付近に配置されていることが多く、さらに、着用者は身体障害者や高齢者であることが多く、尿取りパッドを上手くおむつの内側に装着できず、おむつ着用時に尿取りパッドの端部が丸まってしまったり、あるいは、尿取りパッドがずれた状態で着用してしまい、その結果、腰周り部のフィット性が悪くなり、ウエスト周りから排泄物が漏れ出してしまうという問題を有していた。
【０００４】
このようなパンツ型使い捨ておむつのウエスト周りからの排泄物の漏れを防止する方法として、前身頃と後身頃の腰周り部に、おむつの内側方向に向かって起立する腰周り立体カフスを形成したパンツ型使い捨ておむつが知られており、漏れを防止するための各種の腰周り立体カフスの形成方法が開示されている（特許文献１、特許文献２、特許文献３、特許文献４、特許文献５）。
【特許文献１】特開平３−２３１６６０号公報
【特許文献２】特開平４−３５４９４８号公報
【特許文献３】特開２００１−３７８０９号公報
【特許文献４】特開２００２−９５６９５号公報
【特許文献５】特開２００３−１９９７８８号公報
【発明の開示】
【発明が解決しようとする課題】
【０００５】
しかしながら、上記従来の腰周り立体カフスを形成したパンツ型使い捨ておむつは、乳幼児用の場合にはウエスト周りからの漏れ防止効果を有するが、成人失禁者用の場合には依然として尿取りパッドの装着性が十分でなく、腰周り部のフィット性が悪く、ウエスト周りからの排泄物の漏れが改善されていないものである。
【０００６】
本発明は、上記従来の成人失禁者用のパンツ型使い捨ておむつの有する問題点を克服し、尿取りパッドの装着性が良好であり、腰周りのフィット性に優れ、ウエスト周りからの排泄物の漏れ防止効果を改善した成人失禁者用のパンツ型使い捨ておむつを提供するものである。
【課題を解決するための手段】
【０００７】
上記従来の成人失禁者用のパンツ型使い捨ておむつの有する問題点を解決するための本発明は、以下の各発明を包含する。
【０００８】
（１）液透過性のトップシートと、液不透過性のバックシートと、これら両シートの間に配置された吸収体とを有する吸収性本体と、前記吸収性本体が少なくとも一部で固定され、且つ、吸収性本体を着用者に当てて保持する外装部材とからなり、前記外装部材の前身頃と後身頃の相対する長手方向両側縁部を接合してウエスト周り開口部と一対の脚周り開口部を形成し、各開口部に沿ってその少なくとも一部に伸縮弾性部材が配置され、さらに、前記ウエスト周り開口部と脚周り開口部の間の腰周り部にも伸縮弾性部材が配置されたパンツ型使い捨ておむつにおいて、
前記吸収性本体の長手方向両端部領域を覆って、前記腰周り部伸縮弾性部材の伸長応力よりも高い伸長応力を有する伸縮性弾性部材が伸長状態で配置されている伸縮性の帯状シートがおむつのウエスト周り方向全幅にわたって配置されていて前記吸収性本体の両側縁部の外側領域に位置する部分において前記外装部材に接着固定されており、前記帯状シートの吸収性本体と対向する面には、前記吸収性本体とは別体の吸収パッドを着脱可能に取付けるための機械的に係合可能なフック材が配置されていることを特徴とするパンツ型使い捨ておむつ。
【０００９】
（２）前記帯状シートは、その一部が、前記吸収性本体の長手方向端縁部に接着固定されていることを特徴とする（１）項記載のパンツ型使い捨ておむつ。
【００１３】
（３）前記帯状シートの幅が２０〜１５０ｍｍであることを特徴とする（１）項又は（２）項に記載のパンツ型使い捨ておむつ。
【発明の効果】
【００１５】
本発明のパンツ型使い捨ておむつは、排泄物を吸収する吸収性本体と、パンツを形成する外装部材とからなり、おむつの前後身頃の吸収性本体の長手方向両端部領域には、吸収性本体の端部領域を覆って、伸縮性を有する帯状シートがおむつのウエスト周り方向に配置されており、その吸収性本体の両側縁部の外側領域に位置する部分が、外装部材に接着固定されている。
このような構成を有する本発明のパンツ型使い捨ておむつは、特に、成人失禁者のようにパンツ型使い捨ておむつと尿取りパッドを併用する場合には、帯状シートの内側に尿取りパッドを着脱可能に固定することができるため、おむつ着用時に尿取りパッドの端部が丸まったり、尿取りパッドがずれたりすることがなく、腰周り部及び脚周り部のフィット性が良好となり、その結果、ウエスト周りからの排泄物の漏れ防止効果を大幅に向上させることができ、さらに、脚周りからの漏れ防止効果も向上させることができる。
【発明を実施するための最良の形態】
【００１６】
以下、図面を参照して、本発明のパンツ型使い捨ておむつを詳細に説明するが、勿論、本発明はこれらによって何等限定されるものではない。
【００１７】
図１は、本発明のパンツ型使い捨ておむつを組立てた状態を示す斜視図である。図１において、パンツ型使い捨ておむつ１は、吸収性本体２と外装部材３からなり、外装部材３が股下部６で折返され、前身頃４と後身頃５の相対する両側縁部が接合されてウエスト周り開口部７と一対の脚周り開口部８が形成され、各開口部に沿って伸縮弾性部材が配置され（図示せず）、さらに、外装部材３の前身頃４と後身頃５の腰周り部にも複数本の糸ゴムからなる伸縮弾性部材１１が配置されて形成されている。
【００１８】
図２は、本発明のパンツ型使い捨ておむつを展開し、吸収性本体側から見た場合の状態を示す平面図であり、図３は、図２に示すパンツ型使い捨ておむつをＸ−Ｘ線に沿って切断した状態を示す断面図であり、図４は、図２に示すパンツ型使い捨ておむつをＹ−Ｙ線に沿って切断した状態を示す断面図である。
図２、図３及び図４において、パンツ型使い捨ておむつ１は、吸収性本体２と外装部材３とからなり、吸収性本体２は、液透過性のトップシート２１と、液不透過性のバックシート２２と、これら両シートの間に配置された吸収体２３から形成され、外装部材３は、おむつの外側に位置する外側シート３１と、おむつの内側に位置する内側シート３２の２枚のシートで形成されている。また、外装部材３の端縁部から吸収性本体２の端縁部にかけてカバーシート１５が配置されており、吸収性本体２は、その端縁部がカバーシート１５と前記外装部材３の内側シート３２の間に挟持され、外装部材３に接着固定されている。さらに、外装部材３の外側シート３１と内側シート３２の間には、ウエスト周り開口部と脚周り開口部の位置にそれぞれウエスト周り伸縮弾性部材９と脚周り伸縮弾性部材１０が配置され、前身頃４と後身頃５の腰周り部の位置に腰周り伸縮弾性部材１１が配置されている。
【００１９】
また、吸収性本体２の長手方向両端部領域には、２枚のシート部材１６、１７の間に伸縮弾性部材１４を伸長状態で配置してなる伸縮性の帯状シート１２が、ウエスト周り方向に配置されており、その吸収性本体２の両側縁部の外側領域に位置する部分が、接着領域１３により外装部材３に接着固定されている。
【００２０】
なお、本実施例では、帯状シート１２を外装部材３の両側縁部まで配置した例を示したが、帯状シート１２は吸収性本体２の端部領域を覆うことができる大きさであればよく、必ずしも外装部材３の両側縁部まで配置する必要はない。また、接着領域１３を吸収性本体２の両側縁部の外側領域から外装部材３の両側縁部まで形成した例を示したが、少なくとも吸収性本体２の両側縁部の外側領域に形成すれば良く、必ずしも外装部材２の両側縁部まで形成する必要はない。
【００２１】
また、本実施例では、吸収性本体２の端縁部をカバーシート１５と外装部材３の内側シート３２との間で固定した例を示したが、カバーシート１５の代わりに、外装部材３の外側シート３１として、その長手方向の長さが長いものを用いて、おむつ１の端縁部で折返し、折返された外側シート３１の端縁部で吸収性本体２の端縁部を固定してもよい。このような場合、内側シート３２を吸収性本体２よりやや長めの長さ寸法に形成し、ウエスト周り伸縮弾性部材９と腰周り伸縮弾性部材１１を折返された外側シート３１で固定し、ウエスト周り伸縮弾性部材９と腰周り伸縮弾性部材１１が外側シート３１の間に挟持された構成の外装部材３を形成することもできる。また、内側シート３２を吸収性本体２よりやや長めの長さ寸法に形成し、カバーシート１５と外側シート３１の間でウエスト周り伸縮弾性部材９と腰周り伸縮弾性部材１１を挟持し、カバーシート１５と内側シート３２の間で吸収性本体２の端縁部を固定してもよい。あるいは、カバーシート１５を用いずに、吸収性本体２を直接外装部材３に接着固定してもよい。
【００２２】
また、本発明では、帯状シート１２の伸縮弾性部材１４の伸長応力を腰周り部の伸縮弾性部材１１の伸長応力よりも高くすることが好ましく、このように伸長応力を調整することにより、後述する、帯状シートに吸収性本体とは別体の吸収パッドを着脱可能に取付ける場合に、吸収パッドを安定して取付けることが可能となる。
【００２３】
図５及び図６は、本発明のパンツ型使い捨ておむつを展開し、吸収性本体側から見た場合の状態を示す平面図であり、図２とは異なる例を示している。なお、図５及び図６において、図２と同一部分には同じ符号が付してあり、重複する部分の説明は省略する。
図５では、帯状シート１２の吸収性本体と対向する面のおむつの股下部側の端縁部に、おむつと機械的に係合可能なフック材１８が配置されている。
また、図６では、帯状シート１２の吸収性本体と対向する面のおむつのウエスト周り開口部側の側縁部が、接着部１９を介して吸収性本体の端縁部に接着固定されている。
このように、帯状シート１２にフック材１８を配置したり、接着部１９を介して吸収性本体２に接着固定することにより、後述する、帯状シートに吸収性パッドを着脱可能に取付ける場合に、吸収性パッドをより安定して取付けることが可能となる。
【００２４】
なお、図５及び図６では、帯状シート１２にフック材１８と接着部１９を別々に設けた例を示したが、両者を一緒に設けても良い。また、フック材１８は、必ずしもおむつの股下部側における帯状シート１２の端縁部に設ける必要はなく、吸収性本体と対面する領域であればどこに設けてもよく、特に限定されるものではない。
【００２５】
図７は、図５に示す本発明のパンツ型使い捨ておむつをＸ−Ｘ線に沿って切断した状態を示す断面図であり、図３とは異なる例を示している。なお、図７において、図３と同一部分には同じ符号が付してあり、重複する部分の説明は省略する。
図７において、帯状シート１２の吸収性本体２と対向する面の側縁部に、機械的に係合可能なフック材１８が配置されている。
なお、本実施例では、フック材１８を広幅の帯状シート１２のおむつの股下側の端縁部に設けた例を示したが、フック材１８は帯状シート１２と同じ幅のものを用いても良い。
【００２６】
図８は、本発明のパンツ型使い捨ておむつをその長手方向中心部に沿って切断した状態を示す断面図である。
図８において、パンツ型使い捨ておむつ１は、排泄物を吸収して保持する吸収性本体２と、パンツを形成する外装部材３とから形成されており、前身頃４と後身頃５の吸収性本体２の両端部領域には、吸収性本体２の両端部領域を覆って帯状シート１２が配置されており、さらに、吸収性本体２の上面には、吸収性本体２とは別体の尿取りパッド２０が配置されており、その長手方向両端部が帯状シート１２の内側に着脱可能に取付けられている。
【００２７】
このような構成を有する本発明のパンツ型使い捨ておむつは、特に、成人失禁者のようにパンツ型使い捨ておむつと尿取りパッドを併用する場合には、帯状シートの内側に尿取りパッドを着脱可能に固定することができるため、おむつ着用時に尿取りパッドの端部が丸まったり、尿取りパッドがずれたりすることがなく、腰周り部及び脚周り部のフィット性が良好となり、ウエスト周りからの排泄物の漏れ防止効果を大幅に向上させることができ、さらに、脚周りからの漏れ防止効果も向上させることができる。
【００２８】
また、本発明では、帯状シートの幅が２０〜１５０ｍｍであることが好ましく、３０〜１００ｍｍであることがより好ましい。このように帯状シートを形成することにより、尿取りパッドのような吸収パッドの装着性が良好となり、ウエスト周り部からの排泄物の漏れを防止すると共に脚周りからの漏れを防止したパンツ型使い捨ておむつを得ることができる。
帯状シートの幅が２０ｍｍ未満では、吸収パッドの装着性が悪くなり、一方、帯状シートの幅が１５０ｍｍを超えて広くなると、吸収パッドや吸収性本体の覆われる部分が多くなり、吸収性能が低下する。
【００２９】
また、帯状シートは、その伸縮弾性部材のドラフト率が１５０〜４００％であることが好ましく、この範囲のドラフト率により、吸収パッドの装着性が良好となる。
帯状シートのドラフト率が１５０％未満では、吸収パッドの装着性が悪くなって外れ易くなり、一方、ドラフト率が４００％を超えると、おむつ装着時に腰周りに圧迫感を与えるようになる。
【００３０】
以下、本発明において使用される材料について説明するが、本発明は、これらによって何等制限されるものではない。
【００３１】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３２】
本発明において、液不透過性のバックシートとしては、液不透過性のポリエチレンシートをそのまま用いてもよく、微孔を形成したポリエチレンシート、あるいは熱可塑性樹脂にフィラーを加えて延伸したシートのような透湿性のある液体不透過性のシートを用いてもよい。このような透湿性のある液体不透過性のシートを用いると、ムレが改善されるため快適な着用感が得られる。さらに、このようなシートの外側に不織布からなるカバーシートを張合わせた積層構造のシートを用いることもできる。
【００３３】
本発明において、吸収体としては、通常の使い捨てパンツ型おむつのような吸収性物品に使用されるものであればいずれも使用することができる。すなわち、綿状パルプと高吸水性ポリマー（ＳＡＰ）を併用したもの、さらに熱融着性繊維を加えたもの等を使用することができ、全体をティッシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型であっても良く、あるいは矩形であっても良い。
【００３４】
本発明において、外装部材を形成するための外側シートと内側シートは、ポリエチレン、ポリプロピレン、ポリエステル、その他の熱可塑性樹脂を原料とした合成繊維からなる不織布により形成することができる。
【００３５】
本発明において、伸縮性を有する帯状シートとしては、ポリエチレン、ポリプロピレン、ポリエステル、その他の熱可塑性樹脂を原料とした合成繊維からなる不織布や、ポリエチレンシート等の間に伸縮弾性部材を挟持して貼り合わせることにより形成することができる。不織布は親水性でも良く、撥水性でも良く、また、ポリエチレンシートは非通気性でも良いが、微孔を形成した通気性のシートであることが好ましい。
また、伸縮性不織布、伸縮性フィルム、伸縮性フォーム等のそれ自身が伸縮性を有する材料をそのまま用いることもできる。
【００３６】
本発明において、機械的に係合可能なフック材としては、係合部が、鉤状、きのこ状、錨状等の各種の形状を有する、通常の使い捨ておむつのファスニングテープ等に使用されるものをそのまま使用することができる。
【００３７】
本発明において、伸縮弾性部材としは、天然、合成ゴム、ウレタンなどの糸状、ひも状、ネット状、平型形状のものを設置位置に応じて用いることができる。弾性部材の配設はシートに接着剤等により固定される。
接着方法としては、ホットメルト、澱粉系又はＣＭＣ（カルボキシメチルセルロース）などの水溶性の糊又は、流動性の高い接着剤を用いてもよいし、熱や超音波等による溶着でも良い。
【産業上の利用可能性】
【００３８】
本発明のパンツ型使い捨ておむつは、排泄物を吸収する吸収性本体と、パンツを形成する外装部材とからなり、おむつの前後身頃の吸収性本体の長手方向両端部領域には、吸収性本体の端部領域を覆って、おむつのウエスト周り方向に、伸縮性を有する帯状シートが配置されている。このような構成を有する本発明のパンツ型使い捨ておむつは、特に、成人失禁者のようにパンツ型使い捨ておむつと尿取りパッドを併用する場合には、帯状シートの内側に尿取りパッドを着脱可能に固定することができるため、おむつ着用時に尿取りパッドの端部が丸まったり、尿取りパッドがずれたりすることがなく、腰周り部及び脚周り部のフィット性が良好となり、ウエスト周りからの排泄物の漏れ防止効果を大幅に向上させることができ、さらに、脚周りからの漏れ防止効果も向上させることができる。
【図面の簡単な説明】
【００３９】
【図１】本発明のパンツ型使い捨ておむつを組立てた状態を示す斜視図である。
【図２】本発明のパンツ型使い捨ておむつを展開し、吸収性本体側から見た状態を示す平面図である。
【図３】図２に示すパンツ型使い捨ておむつをＸ−Ｘ線に沿って切断した状態を示す断面図である。
【図４】図２に示すパンツ型使い捨ておむつをＹ−Ｙ線に沿って切断した状態を示す断面図である。
【図５】本発明のパンツ型使い捨ておむつを展開し、吸収性本体側から見た状態の他の例を示す平面図である。
【図６】本発明のパンツ型使い捨ておむつを展開し、吸収性本体側から見た状態の他の例を示す平面図である。
【図７】図５に示すパンツ型使い捨ておむつをＸ−Ｘ線に沿って切断した状態を示す断面図である。
【図８】本発明のパンツ型使い捨ておむつをその長手方向中心部に沿って切断した状態を示す断面図である。
【符号の説明】
【００４０】
１：パンツ型使い捨ておむつ
２：吸収性本体
３：外装部材
４：前身頃
５：後身頃
６：股下部
７：ウエスト周り開口部
８：脚周り開口部
９：伸縮弾性部材
１０：伸縮弾性部材
１１：伸縮弾性部材
１２：帯状シート
１３：接着領域
１４：伸縮弾性部材
１５：カバーシート
１６：シート部材
１７：シート部材
１８：フック材
１９：接着部
２０：尿取りパッド
２１：トップシート
２２：バックシート
２３：吸収体
３１：外側シート
３２：内側シート
【図１】
0004481899.tif 000002
【図２】
0004481899.tif 000003
【図３】
0004481899.tif 000004
【図４】
0004481899.tif 000005
【図５】
0004481899.tif 000006
【図６】
0004481899.tif 000007
【図７】
0004481899.tif 000008
【図８】
0004481899.tif 000009